(57)【要約】【課題】  菊の切り花を包装して、保存、出荷、運搬する際に、花の開花が少なく、葉の黄化が少なく、花弁の褐変が少なく、異臭が少なく、外観が優れたいわゆる鮮度保持効果を発揮する菊の切り花の保存方法及び菊の切り花の鮮度保持用包装袋を提供する。【解決手段】  高分子フィルムからなる菊の切り花の鮮度保持用包装袋であって、菊の切り花保存時の該鮮度保持用包装袋の酸素透過量Ｐが、２００〜４５００ｃｃ／１００ｇ・ｄａｙ・ａｔｍであることを特徴とする菊の切り花の鮮度保持用包装袋である。【選択図】なし【特許請求の範囲】
【請求項１】
高分子フィルムからなる菊の切り花の鮮度保持用包装袋であって、前記鮮度保持用包装袋には微細孔を有し、菊の切り花の平均保存温度Ｔ（℃）が１０℃より高く３０℃以下であり、２３℃における菊１００ｇあたりの前記鮮度保持用包装袋の酸素透過量Ｐ（ｃｃ／１００ｇ・ｄａｙ・ａｔｍ）が２００〜４５００ｃｃ／１００ｇ・ｄａｙ・ａｔｍであることを特徴とする菊の切り花の鮮度保持用包装袋。
【請求項２】
前記菊の切り花の鮮度保持用包装袋の微細孔の総開孔面積が、菊の切り花１００ｇあたり１×１０−３ｍｍ２／１００ｇより大きく３×１０−１ｍｍ２／１００ｇ以下である請求項１に記載の菊の切り花の鮮度保持用包装袋。
【請求項３】
前記菊の切り花の鮮度保持用包装袋の微細孔が、平均孔径５〜１０００μｍの微細孔である請求項１又は２に記載の菊の切り花の鮮度保持用包装袋。
【請求項４】
請求項１〜３のいずれかに記載の菊の切り花の鮮度保持用包装袋を用いて菊の切り花を保存する菊の切り花の鮮度保持保存方法。
【発明の詳細な説明】
【技術分野】
【０００１】
本発明は、菊の切り花を包装して、１０℃より高く３０℃以下で保存する際の菊の切り花の保存方法及び菊の切り花の鮮度保持用包装袋に関するものである。
【背景技術】
【０００２】
菊の切り花をはじめとする青果物は、周囲のガス雰囲気が大気よりも適度に低酸素濃度、高二酸化炭素濃度になると、大気中にある場合に比べて呼吸量が少なくなり、長持ちするようになる。しかし、青果物を過度な低酸素濃度、高二酸化炭素濃度条件下に置くと、呼吸障害を起こして、劣化しやすくなる。
【０００３】
そのため、青果物を包装して、貯蔵、出荷、運搬、店頭陳列する際には、適度なガス条件で青果物を保存しなければならない。
【０００４】
ところが、最適なガス条件は、青果物の種類により異なるため、菊の切り花以外の青果物では、良好な保存条件であったとしても、菊の切り花に応用できるとは限らない。特に、菊の切り花は、包装袋で包装して保存する場合、保存中に開花、しおれ、葉の黄化といった問題が生じやすく、包装袋を開封後に菊の切り花を開花させる必要があるため、菊の切り花以外の青果物での保存条件を、そのまま適用することはできない。
【０００５】
菊は、冠婚葬祭などに広く使用されており、その需要は高温期を含めて年中ある。冷蔵設備が不足しているので、単価の安い菊は、常温で流通・販売されることが多く、葉の黄化、しおれ、花が開きすぎるといった問題が生じやすい。
また、菊の切り花は、盆、暮、彼岸に需要が集中するため、これに合わせて数量を調節するのは非常に困難であり、収穫後に使用できる簡易な短期出荷調整方法が需要と供給の両方の関係者より熱望されている。菊は、通常全ての花弁が完全に閉じた状態で収穫、流通されており、市場着荷時の段階で花弁が開きすぎていると商品価値が著しく低下してしまう。特に１０℃より高い温度では、これらの現象が生じやすく、これまで有効な鮮度保持方法が見当たらなかった。
【０００６】
特開平９−１０７８７９号公報（特許文献１）には、菊の貯蔵方法として酸素及び二酸化炭素透過量が菊１ｋｇ当たり４，０００〜８，０００ｃｃ／袋・２４ｈ・ａｔｍの合成樹脂フィルムにより密封包装し、雰囲気を０〜５℃で酸素濃度１０〜１９％、二酸化炭素濃度１〜１０％にする菊の貯蔵方法が記載されている。この方法であれば、菊の開花を少し遅らせることができるが、貯蔵時の温度が０〜５℃に限られているため冷蔵設備が必要であり、１０℃より高い温度帯でも菊の切花を簡単に保存・出荷できる方法が求められていた。
【０００７】
【特許文献１】特開平９−１０７８７９号公報
【発明の開示】
【発明が解決しようとする課題】
【０００８】
菊を１０℃より高い温度帯で保存、輸送する場合において、特許文献１にて開示されている菊の貯蔵方法では、温度が０〜５℃に限られており適用することができなかった。本発明では、特許文献１に開示された条件よりも菊の切り花の鮮度保持が難しい高温域で菊の開花を遅らせ、葉の黄化を遅らせ、しおれを遅らせることにより、より高温域でも、菊を保存できる包装袋を提供することを目的とする。
【０００９】
本発明は、開花しやすく、葉が黄化しやすく、市場流通段階では、蕾が開き出すと商品価値が著しく低下するという菊の切り花の鮮度保持に関する課題を解決する。また、特に葬祭で用いるので、菊の切り花の鮮度保持においては、花弁の褐変が少ないこと、腐敗が少ないこと、カビの発生が少ないこと、葉の黄化が少ないことという外観と異臭が少ないことに関する菊の切り花固有の課題を解決する。
【課題を解決するための手段】
【００１０】
本発明者は、上記従来技術における課題を解決すべく、鋭意研究を重ねた結果、菊を低温保存することなく、菊の切り花１００ｇ当りの酸素透過量を特定の範囲の包装袋にて包装することにより、菊の切り花の鮮度保持効果が高くなり、長期の保存や輸送ができることを見出し、本発明を完成させるに至った。
【００１１】
すなわち、本発明（１）は、
高分子フィルムからなる菊の切り花の鮮度保持用包装袋であって、前記鮮度保持用包装袋には微細孔を有し、菊の切り花の平均保存温度Ｔ（℃）が１０℃より高く３０℃以下であり、２３℃における菊１００ｇあたりの前記鮮度保持用包装袋の酸素透過量Ｐ（ｃｃ／１００ｇ・ｄａｙ・ａｔｍ）が２００〜４５００ｃｃ／１００ｇ・ｄａｙ・ａｔｍであることを特徴とする菊の切り花の鮮度保持用包装袋である。
【００１２】
更に本発明は、
（２）前記菊の切り花の鮮度保持用包装袋の微細孔の総開孔面積が、菊の切り花１００ｇあたり１×１０−３ｍｍ２／１００ｇより大きく３×１０−１ｍｍ２／１００ｇ以下である前記（１）に記載の菊の切り花の鮮度保持用包装袋、
（３）前記菊の切り花の鮮度保持用包装袋の微細孔が、平均孔径５〜１０００μｍの微細孔である請求項１又は２に記載の菊の切り花の鮮度保持用包装袋である。
更に、上記（１）〜（３）のいずれかに記載の菊の切り花の鮮度保持用包装袋を用いて菊の切り花を保存する菊の切り花の鮮度保持保存方法である。
【発明の効果】
【００１３】
本発明によれば、菊の切り花を包装して、１０℃より高い温度で長期間の間、菊の開花を防いで、菊を均一の状態で保存することができ、その後の出荷、運搬、店頭陳列されても商品価値が下がること無く、優れた鮮度保持効果を発揮する菊の切り花の保存方法及び菊の切り花の鮮度保持用包装袋を提供することができる。従って、本発明により、開花しやすく、葉が黄化しやすく、市場流通段階では、蕾が開きすぎると商品価値が著しく低下するという菊の切り花の鮮度保持についての課題を解決することができる。また、菊は特に葬祭で用いられるので、菊の切り花の鮮度保持においては、花弁の褐変が少ないこと、腐敗が少ないこと、葉の黄化が少ないこと等の外観と異臭に関する菊の切り花の固有の課題を解決することができる。
【発明を実施するための最良の形態】
【００１４】
本発明の菊の切り花の保存方法は、菊の切り花を高分子フィルムで包装して保存する菊の切り花の保存方法において、保存時の菊の切り花の鮮度保持包装用袋の２３℃における酸素透過量を菊１００ｇあたり、２００〜４５００[ｃｃ／（１００ｇ・ｄａｙ・ａｔｍ）]とする菊の切り花の保存方法である。
【００１５】
本発明の菊の切り花の保存方法は、該菊の切り花を収穫後、高分子フィルムで包装し、菊を貯蔵（保存）するが、その後、菊の切り花は出荷、運搬、店頭陳列される。概高分子フィルムで包装後の平均保存温度は１０℃より高く３０℃以下である。出荷、運搬、店頭陳列でも上記の温度範囲内に置かれることが好ましいが、状況によっては難しい場合もあり、保存時の温度も含めて平均保存温度として１０℃より高く３０℃以下の範囲に置かれることが好ましく、少なくとも保存時は上記の範囲にて保存される。なお、本発明においては、包装体とは、該高分子フィルムで包装された該菊の切り花のことを指す。
【００１６】
本発明に使用される菊は、キク科の多年草であり、花の直径が１６ｃｍ以上の大菊、６ｃｍ以下の小菊、これらの中間の大きさの中菊のいずれでもかまわないが、特に切り花１本に花がひとつの一輪菊の鮮度保持に適しているが、切り花として使用可能なものであればなんら差し支えない。菊１本あたりの包装資材費や包装の手間を考慮すると、１０本以上１００本以下を１袋で包装することが好ましい。さらに好ましくは、３０本以上１００本以下を１袋で包装することが好ましい。
【００１７】
本発明の菊の切り花の保存方法に係る該高分子フィルムは、特に制限されず、青果物の包装に用いられている高分子フィルムであればよく、材質としては、例えば、ポリエチレン、ポリプロピレン、ポリ塩化ビニル、ポリアミド、ポリエステル、ポリ乳酸等、あるいは、これらの複合材料が挙げられる。これらは、防曇加工や印刷を施したものでもよい。また、延伸したフィルムでも、未延伸のフィルムでも良い。これらの材質の中で、ポリプロピレン、ポリエチレンなど透湿度が３０（ｇ／ｍ２・日）（測定方法：ＪＩＳ  Ｚ  ０２０８）以下のものが鮮度保持の点で好ましい。更にポリプロピレンやポリエチレンテレフタレートとポリエチレンなどのラミネートフィルムは、強度の点で好ましい。
【００１８】
該高分子フィルムの厚さは、特に制限されないが、通常、１５〜６０μｍであり、取り扱い及びコストの観点から、２５〜５２μｍが好ましい。
【００１９】
本発明の菊の切り花の包装体の平均保存温度は、１０℃より高く３０℃以下がよい。１０℃以下では、開花抑制効果が不十分になる恐れがあり、３０℃を超えた温度では、切り花の腐敗などが早くなり、著しく保存が難しくなる可能性がある。好ましくは、１２℃以上、２８℃以下である。なお、この温度範囲で保存されるのであれば、恒温設備を有する場所で保存しなくても良いが、恒温設備を有する場所で保存しても良い。
【００２０】
なお、本発明は、菊の切り花の出荷を目的としたものであるが、当然のことながら、この条件内であれば数日程度の短期の保存も可能であり、保存期間や目的により何らの制約を受けるものではない。
【００２１】
本発明の菊の切り花の保存方法では、高分子フィルムよりなる鮮度保持用包装袋の酸素透過量は、２３℃において、菊の切り花１００ｇあたり２００〜４５００[ｃｃ／（１００ｇ・ｄａｙ・ａｔｍ）]である。該保存時の酸素透過量が上記範囲にあることで、優れた鮮度保持効果が得られ、開花の抑制、葉の黄化抑制等の効果が得られる。一方、該保存時の酸素透過量が少な過ぎると花弁の褐変、異臭の発生が多くなる。逆に酸素透過量が多すぎると、開花しやすくなったり、葉が黄化しやすくなったりする。
好ましくは、菊の切り花１００ｇあたりの酸素透過量は２００〜３０００[ｃｃ／（１００ｇ・ｄａｙ・ａｔｍ）]であり、更に好ましくは、菊の切り花１００ｇあたりの酸素透過量は２００〜１２００[ｃｃ／（１００ｇ・ｄａｙ・ａｔｍ）]である。
【００２２】
菊の切り花は、開花しやすく、葉が黄化しやすい。市場流通段階では、蕾が動き出す（花が開花し始める）と商品価値が著しく低下する。また、特に葬祭で用いるので、菊の切り花の鮮度保持においては、花弁の褐変が少ないこと、腐敗が少ないこと、カビの発生が少ないこと、葉の黄化が少ないことという外観などが特に重視される。
【００２３】
本発明において、該保存時の酸素透過量Ｐ[ｃｃ／（１００ｇ・ｄａｙ・ａｔｍ）]とは、２３℃における、包装される菊の切り花１００ｇ当りの、１日当りの、包装体の内と外との酸素圧力差１気圧当りの酸素透過量である。
【００２４】
２３℃における単位面積当りの酸素透過量がＦ[ｃｃ／（ｍ２・ｄａｙ・ａｔｍ）]の高分子フィルムを用いて、菊の切り花を包装する場合、該保存時の酸素透過量Ｐ[ｃｃ／（１００ｇ・ｄａｙ・ａｔｍ）]は、２３℃における該高分子フィルムの単位面積当りの酸素透過量Ｆ[ｃｃ／（ｍ２・ｄａｙ・ａｔｍ）]に、該高分子フィルムの有効表面積Ｓ（ｍ２）を乗じて得た値を、包装される菊の切り花の質量Ｗ（ｇ）で除し、１００を乗じた値である。例えば、２３℃における高分子フィルムの単位面積当りの酸素透過量がｆ[ｃｃ／（ｍ２・ｄａｙ・ａｔｍ）]、高分子フィルムの有効表面積がｓ（ｍ２）、包装された菊の切り花の質量がｗ（ｇ）であった場合、保存時の酸素透過量Ｐは、
Ｐ＝ｆ×ｓ×（１００／ｗ）
となる。なお、該高分子フィルムの有効表面積とは、該高分子フィルムのうち、酸素透過に関与できる部分の表面積を指し、密封のために張り合わせられている部分のような、酸素透過に関与できない部分を除く表面積のことである。例えば、長方形の２枚の高分子フィルムを、４辺をヒートシールして密封して、該菊の切り花を包装する場合、密封後の包装袋の内側の表面積が、該高分子フィルムの有効表面積である。
【００２５】
本発明の菊の切り花の保存方法では、該高分子フィルムに平均孔径５〜１０００μｍ、好ましくは平均孔径２０〜４００μｍ、更に好ましくは、平均孔径２０〜１００μｍの微孔を開け、該微孔の大きさ及び数の選択により、該保存時の酸素透過量Ｐを前記範囲内に調整することができる。
【００２６】
該高分子フィルムを用いて作成した鮮度保持用包装袋の形状は、特に制限されない。
【００２７】
本発明の菊の切り花の保存方法では、該菊の切り花を、該高分子フィルムに入れ、密封するが、該高分子フィルムを密封する方法としては、ヒートシール、結束帯、輪ゴム、かしめ等、特に制限されない。この場合、菊の切り花を通気性のある容器に入れた状態で該高分子フィルムに入れても良い。また、本発明の菊の切り花の保存方法では、包装形態としては、袋詰めの形態だけではなく、例えば、トレイ容器にトップシールする形態であってもよく、あるいは、ダンボール箱と該高分子フィルムとを一体化させた形態であってもよい。
【００２８】
本発明の菊の切り花の保存方法では、該菊の切り花を収穫後、該高分子フィルムで包装し、該菊の切り花が該高分子フィルムで包装された包装体を保存するが、その後、菊の切り花は出荷、運搬、店頭陳列される。本発明の菊の切り花の保存方法は、貯蔵庫などでの保存のみではなく、出荷、運搬等にも適用される。該高分子フィルムで包装後の平均保存温度は１０℃より高く３０℃以下である。出荷、運搬、店頭陳列でも上記の温度範囲内に置かれることが好ましいが、状況によっては難しい場合もあり、保存時の温度も含めて平均保存温度として１０℃より高く３０℃以下の範囲に置かれることが好ましい。つまり、本発明の菊の切り花の保存方法は、上記平均保存温度条件下における保存方法である。
【００２９】
本発明の菊の切り花の保存方法は、次に述べる本発明の菊の切り花の鮮度保持用包装袋により、好適に行なわれる。
【００３０】
本発明の菊の切り花の鮮度保持用包装袋は、高分子フィルムからなる菊の切り花の鮮度保持用包装袋であって、
２３℃において、菊の切り花保存時の該鮮度保持用包装袋の酸素透過量Ｐが、２００〜４５００[ｃｃ／（１００ｇ・ｄａｙ・ａｔｍ）]の菊の切り花の鮮度保持用包装袋である。好ましくは２００〜３０００[ｃｃ／（１００ｇ・ｄａｙ・ａｔｍ）]であり、更に好ましくは２００〜１２００[ｃｃ／（１００ｇ・ｄａｙ・ａｔｍ）]である。
該菊の切り花の保存時の該鮮度保持用包装袋の酸素透過量Ｐが上記範囲にあることにより、鮮度保持効果が高くなる。特に、該菊の切り花保存時の該鮮度保持用包装袋の酸素透過量Ｐが上記範囲にあることにより、該菊の切り花の開花の進行が抑制され、葉の黄化が少なくなるなど外観の劣化が少なくなり、異臭の発生が少なくなる。
【００３１】
本発明の菊の切り花の鮮度保持用包装袋に係る該菊の切り花は、本発明の菊の切り花の保存方法に係る該菊の切り花と同様である。菊の切り花の鮮度保持用包装袋は、菊の切り花を包装した後、平均保存温度として１０℃より高く３０℃以下の範囲で保存される菊の切り花の鮮度保持用包装袋である。
【００３２】
本発明の菊の切り花の鮮度保持用包装袋に係る該高分子フィルムの材質は、本発明の菊の切り花の保存方法に係る該高分子フィルムの材質と同様である。
【００３３】
該高分子フィルムの厚さは、特に制限されないが、通常、１５〜６０μｍであり、取り扱い及びコストの観点から、２５〜５２μｍが好ましい。
【００３４】
該鮮度保持用包装袋は、該菊の切り花保存時の該鮮度保持用包装袋の酸素透過量Ｐ、又は該高分子フィルムの単位面積当りの酸素透過量Ｆを調節するために、微孔を有してもよく、この場合、該微孔の平均孔径は、５〜１０００μｍ、好ましくは２０〜４００μｍであり、更に好ましくは２０〜１００μｍである。
【００３５】
該微孔の開孔面積は、菊の切り花１００ｇあたり１×１０−３ｍｍ２／１００ｇより大きく３×１０−１ｍｍ２／１００ｇ以下であり、好ましくは１×１０−３ｍｍ２／１００ｇより大きく７×１０−２ｍｍ２／１００ｇ以下、更に好ましくは１×１０−３ｍｍ２／１００ｇより大きく３×１０−２ｍｍ２／１００ｇ以下である。なお、菊の切り花１００ｇあたりの該微孔の開孔面積とは、該鮮度保持用包装袋で包装した菊の切り花の質量Ｗ（ｇ）で、該高分子フィルムの有効表面積にあけた該微孔の総面積（ｍｍ２）を除して１００を積算した値である（｛微孔の総面積／包装した菊の切り花の質量｝×１００）。
【００３６】
本発明の菊の切り花の鮮度保持用包装袋が、１０〜１００本（５００〜１２０００ｇ）の菊の切り花包装用の鮮度保持用包装袋である場合、すなわち、本発明の菊の切り花の鮮度保持用包装袋が、１袋当りに１０〜１００本の該菊の切り花を詰めて包装する際の包装袋として用いられる場合、２３℃における該高分子フィルムの単位面積当りの酸素透過量Ｆは、１０００〜１３００００[ｃｃ／（ｍ２・ｄａｙ・ａｔｍ）]、好ましくは１３００〜７００００[ｃｃ／（ｍ２・ｄａｙ・ａｔｍ）]であり、該高分子フィルムの有効表面積は、０．４〜２．１ｍ２、好ましくは０．６〜２．０ｍ２である。本発明の菊の切り花の鮮度保持用包装袋を、１０〜１００本の菊の切り花の包装用の鮮度保持用包装袋として用いる場合、該高分子フィルムの単位面積当りの酸素透過量Ｆ及び有効表面積を上記範囲内とすることにより、該菊の切り花保存時の該鮮度保持用包装袋の酸素透過量Ｐを上記範囲内にできるので、鮮度保持効果が高くなる。
【００３７】
次に、実施例を挙げて本発明を更に具体的に説明するが、これは単に例示であって、本発明を制限するものではない。
【実施例】
【００３８】
（実施例１〜１１、比較例１〜３）
表１に示す厚みと素材の高分子フィルム（ＯＰＰ：延伸ポリプロピレンフィルム）の３辺をヒートシールして、表１に示した大きさの方形の包装袋を作製し、表１に示す微細孔を開けた。次いで、該包装袋に、菊の切り花（開花度１で収穫、品種は、神馬）を表１に記載した量の通り詰め、袋開口部をシール巾１０ｍｍでヒートシールして密封し、菊の切り花が包装された包装体を得た。このとき、該高分子フィルムの有効表面積Ｓは、ヒートシール部を除いた該包装体の内側の表面積であり、保存時の酸素透過量Ｐは、表１に示す値となる。なお、該保存時の酸素透過量Ｐは、以下の式で求められる。
Ｐ＝Ｆ×Ｓ×（１００／Ｗ）
Ｐ：包装した菊の切り花１００ｇあたりの包装袋の酸素透過量
[（ｃｃ／（１００ｇ・ｄａｙ・ａｔｍ））（２３℃）
Ｆ：２３℃における高分子フィルムの単位面積当りの酸素透過量[ｃｃ／（ｍ２・ｄａｙ
・ａｔｍ）]
Ｓ：高分子フィルムの有効表面積（ｍ２）
Ｗ：包装体に詰められている菊の切り花の質量（ｇ）
である。
【００３９】
次いで、該包装体を、表１に示した温度で所定の日数保存した。各保存日数毎の菊の切り花の品質評価等の結果を表２に示す。なお、該品質評価では、各保存日数毎に２個の包装体を用意した。
【００４０】
＜高分子フィルムの単位面積当りの酸素透過量Ｆの測定＞
（１）包装袋の準備
表１に示す開孔面積比率の高分子フィルムで、４辺がヒートシールで密封された方形の包装袋を作成する。このとき、ヒートシール後の包装袋の内側の表面積が、高分子フィルムの有効表面積Ｓ（ｍ２）であり、Ｓが０．０６ｍ２以上となるように包装袋を作成する。なお、以下全ての作業は、大気のガス雰囲気（２３℃）中で行う。
【００４１】
（２）窒素ガスの封入
ヒートシールで包装袋を密封した後、アスピレーターを用いて包装袋を脱気する。脱気は、包装袋の両面が貼りつくまで行う。次に、この包装袋に白硬注射筒を用いて窒素ガス（純窒素ガス）を充填する。窒素ガスの充填量は、袋サイズによるが、包装フィルムにテンションがかからない範囲で極力多く入れ、注射筒の目盛りを用いて、窒素ガスの注入量を測定する。なお、注射針を包装袋に突き刺して、ガスの出し入れを行う。針を刺す際は、高分子フィルムに両面テープを貼り、この上からポリプロピレンフィルム製の粘着テープ（以下「ＰＰテープ」という）を貼り付ける。また、針を抜いた後は、速やかにＰＰテープで針穴を塞ぐ。包装袋に貼るテープは、４．５ｃｍ２以下の面積に収まるようにする。また、ＰＰテープにより微孔を塞がないように注意する。
【００４２】
（３）初期酸素濃度の測定
窒素ガス充填直後に、ガスクロマトグラフィー（ＴＣＤ）で測定して、包装袋内の酸素量を求め、酸素濃度Ｃ０（体積％）を算出した。このとき、Ｃ０が０．２体積％超えている場合は、上記（１）及び（２）作業をやり直す。なお、酸素濃度測定用のサンプリングガス量は、１０ｃｃ以下とする。ガスクロマトグラフィーには、１ｃｃ程度を注入する。
【００４３】
（４）包装袋の保存
初期酸素濃度を測定した包装袋を、２３℃のインキュベーター中で保存する。このとき、袋の上に物が載ったり、インキュベーターのファンの風が直撃したりしないように静置する。
【００４４】
（５）保存中の包装袋内の酸素濃度の測定及び酸素透過量の計算
少なくとも２点以上経時時間を代えて、包装袋内のガスをサンプリングし、包装袋内の酸素濃度を測定する。このとき、経時時間は、窒素ガス充填直後から３時間以上経過後であり、且つ、包装袋内の酸素濃度が１％以上７％以下の範囲内でなれければならない。そして、経時時間ｔ（時間）と包装袋内の酸素濃度との間に比例関係(相関係数が０．９８以上)が成り立つ必要がある。もし、包装袋内の酸素濃度が１％以上７％以下の範囲内からはずれていた場合、あるいは、比例関係が成り立たない場合は再試験を行う。なお、高分子フィルムの酸素透過量が大きすぎて包装袋内の酸素濃度の上昇が速すぎ、この条件をクリアできない場合は、高分子フィルムの一部を酸素透過量が小さい既知である同じ材質のフィルムと張り合わせて袋を作成して同様に行えばよい。この際、袋の表面積は既知である別のフィルムと張り合わせた部分は除く。
【００４５】
次いで、高分子フィルムの単位面積当りの酸素透過量Ｆを、下記式により計算する。
Ｆ＝｛１．１４３×（Ｃｔ−Ｃ０）×Ｖ｝／（ｔ×Ｓ）  
Ｆ  ：  ２３℃における単位面積当りの酸素透過量[（ｃｃ／（ｍ２・ｄａｙ・ａｔｍ）]
Ｃｔ ：  窒素ガス充填時から経時時間ｔ時間後の包装袋内の酸素濃度（体積％）１）
Ｃ０ ：  窒素ガス充填直後の包装袋内の酸素濃度（体積％）    
Ｖ  ：  充填した窒素ガスの量（ｃｃ）
ｔ  ：  窒素ガス充填直後からの経過時間（時間）１）
Ｓ  ：  包装袋の内側の表面積（高分子フィルムの有効表面積）（ｍ２）
１）Ｃｔ及びｔとしては、最も長い経時時間の値を用いて計算する。
【００４６】
なお、高分子フィルムの一部を酸素透過量が小さい既知である同じ材質のフィルムと張り合わせて袋を作成した場合は、上記測定により得られる単位面積当りの酸素透過量から、該既知のフィルムの単位面積当りの酸素透過量を減じた値が、対象となる高分子フィルムの単位面積当りの酸素透過量である。
【００４７】
＜花の開花度＞
保存日数の間保存した後包装袋を開封して菊の切り花を取り出し評価を行った結果を表２に示す。
花の蕾は、次に記載した開花度（下記の数値）の基準に準じて保存後の評価を行った。
１：蕾（花弁が丸まった状態）
３：外側の花弁が数枚広がった状態
５：外側の花弁全体が広がった状態（中心部の花弁は、閉じている）
７：中心部の花弁も広がり始めた状態（７以上は、全て７と記載）
花の直径（ｍｍ）は、保存前と保存後に測定し、その比（保存後の直径／保存前の直径）を表２に示す。
なお、試験を開始する前の菊の切り花（蕾）の直径は１４〜１７ｍｍであり、これらの切り花（蕾）は開花度１の菊であり、開花度１の菊を用いて試験を行った。
【００４８】
＜官能評価＞
表１に記載の保存日数の間保存した後包装袋を開封して菊の切り花を取り出し外観と臭気の評価を行い、その結果を表２に示す。葉の黄化、花弁の褐変、しおれ、カビ、腐敗、臭気について、官能評価により、４段階（４：良好、３：普通、２：やや劣る、１：劣る）の点数を付けた。なお、官能試験では、３点以上の点数であれば、鮮度保持効果は良好である。
【００４９】
【表１】
2010120683.tif 000002
【００５０】
【表２】
2010120683.tif 000003